(57)【特許請求の範囲】
【請求項１】
第１ＬＥＤ光源および第２ＬＥＤ光源を含む光源であって、
前記第１ＬＥＤ光源および前記第２ＬＥＤ光源のそれぞれは、
光を生成するように適合された半導体ダイオード構造体と、
前記半導体ダイオード構造体の上面に垂直な光出力方向において前記半導体ダイオード構造体から光を出力するように適合されている前記半導体ダイオード構造体の前記上面に備えられた光出力部と、
を含み、
前記光出力部は、対応するＬＥＤ光源の１つのコーナーに置かれており、前記光出力部の１つのコーナーと２つのエッジが、該ＬＥＤ光源の１つのコーナーと２つのエッジに対応しており、
前記第２ＬＥＤ光源は、前記光出力方向から見たときに、前記第１ＬＥＤ光源および前記第２ＬＥＤ光源の前記光出力部が一列に並ばないように、かつ、前記第１ＬＥＤ光源および前記第２ＬＥＤ光源が前記光出力部以外において少なくとも部分的にオーバーラップしているように、前記光出力方向において前記第１ＬＥＤ光源の上方に配置されており、
前記光出力方向から見たときに、前記光出力部の全体の面積は、前記半導体ダイオード構造体の全体の面積よりも小さく、
前記第１ＬＥＤ光源および第２ＬＥＤ光源のうち少なくとも一つは、さらに、前記半導体ダイオード構造体の側面を少なくとも部分的に取り囲んでおり、かつ、前記半導体ダイオード構造体からの光を前記光出力部に向かって反射するように適合されている光反射構造体、を含み、
前記光反射構造体は、前記光反射構造体の中に形成された前記光出力部としての開口部、を含み、
前記光反射構造体の中に形成された前記開口部を有する前記第１ＬＥＤ光源および第２ＬＥＤ光源のうち少なくとも一つの前記半導体ダイオード構造体は、光強化材料を含む、
光源。
【請求項２】
前記第１ＬＥＤ光源および前記第２ＬＥＤ光源の前記光出力部は、前記光出力方向から見たときに、オーバーラップしていない、
請求項１に記載の光源。
【請求項３】
前記第１ＬＥＤ光源および前記第２ＬＥＤ光源の前記光出力部について、前記光出力方向から見たときに、隣り合うエッジ間には、前記光出力方向に対して垂直な横方向に分離が存在し、
前記横方向の分離は、前記光出力部の横方向の幅の１０％より小さい、
請求項１または２に記載の光源。
【請求項４】
前記第１ＬＥＤ光源および第２ＬＥＤ光源のうち少なくとも一つの前記光出力部は、光強化材料を含む、
請求項１乃至３いずれか一項に記載の光源。
【請求項５】
前記第１ＬＥＤ光源は、さらに、前記第１ＬＥＤ光源の前記光出力部の上面に置かれた複数の上方投射光ファイバーを含む、
請求項１乃至４いずれか一項に記載の光源。
【請求項６】
請求項１乃至５いずれか一項に記載の光源を有する、自動車照明。
【請求項７】
請求項１乃至５いずれか一項に記載の光源を有する、プロジェクター照明。
【請求項８】
第１ＬＥＤ光源および第２ＬＥＤ光源を含む光源を製造する方法であって、
前記第１ＬＥＤ光源および前記第２ＬＥＤ光源のそれぞれは、
光を生成するように適合された半導体ダイオード構造体と、
前記半導体ダイオード構造体の上面に垂直な光出力方向において前記半導体ダイオード構造体から光を出力するように適合されている前記半導体ダイオード構造体の前記上面に備えられた光出力部であり、前記光出力方向から見たときに、前記光出力部の全体の面積は、前記半導体ダイオード構造体の全体の面積よりも小さい、光出力部と、
を含み、
前記光出力部は、対応するＬＥＤ光源の１つのコーナーに置かれており、前記光出力部の１つのコーナーと２つのエッジが、該ＬＥＤ光源の１つのコーナーと２つのエッジに対応しており、
前記第１ＬＥＤ光源および第２ＬＥＤ光源のうち少なくとも一つは、さらに、前記半導体ダイオード構造体の側面を少なくとも部分的に取り囲んでおり、かつ、前記半導体ダイオード構造体からの光を前記光出力部に向かって反射するように適合されている光反射構造体、を含み、
光反射構造体を有する前記第１ＬＥＤ光源および第２ＬＥＤ光源のうち少なくとも一つの前記光出力部は、前記光反射構造体の中に形成された前記光出力部としての開口部、を含み、
前記方法は、
前記第２ＬＥＤ光源を、前記光出力方向から見たときに、前記第１ＬＥＤ光源および前記第２ＬＥＤ光源の前記光出力部が一列に並ばないように、かつ、前記第１ＬＥＤ光源および前記第２ＬＥＤ光源が前記光出力部以外において少なくとも部分的にオーバーラップするように、前記光出力方向において前記第１ＬＥＤ光源の上方に配置するステップ、
を含み、
前記光反射構造体の中に形成された前記開口部を有する前記第１ＬＥＤ光源および第２ＬＥＤ光源のうち少なくとも一つの前記半導体ダイオード構造体は、光強化材料を含む、
方法。
【請求項９】
前記配置するステップは、
記第１ＬＥＤ光源および前記第２ＬＥＤ光源の前記光出力部が、前記光出力方向から見たときに、オーバーラップしていないように配置するステップ、を含む、
請求項８に記載の方法。
【請求項１０】
前記配置するステップは、
前記第１ＬＥＤ光源および前記第２ＬＥＤ光源の前記光出力部について、前記光出力方向から見たときに、隣り合うエッジ間に、前記光出力方向に対して垂直な横方向に分離が存在するように、前記第１ＬＥＤ光源および前記第２ＬＥＤ光源を配置するステップ、を含み、
前記横方向の分離は、前記光出力部の横方向の幅の１０％より小さい、
請求項８または９に記載の方法。
【発明の詳細な説明】
【技術分野】
【０００１】
本発明は、光源に関する。そして、より特定的には、複数の半導体光源を有する光源に関する。
【背景技術】
【０００２】
発光ダイオード（ＬＥＤ）、高出力ＬＥＤ、有機ＬＥＤ（ＯＬＥＤ）、およびレーザダイオードといった、半導体光源は、エネルギ効率がよく、かつ、小さく／低いエタンデュ（ｅｔｅｎｄｕｅ）（つまり、光が発せられる立体角を伴う発光領域の成果）として知られている。このことは、これらの半導体光源が、比較的に小さい面積（ａｒｅａ）から制限された角度範囲の中へ光を発することを意味している。
【０００３】
そうした半導体光源は、従って、明るい光源が必要とされるアプリケーションのために役に立つものであり得る。典型的なアプリケーション例は、プロジェクションシステム、自動車照明、カメラフラッシュ光、およびスポットライトを含んでいる。これらの例については、しばしば改善された小型化が望ましい。しかしながら、半導体光源のサイズを単に削減することは、生成される光束（ｌｉｇｈｔ  ｆｌｕｘ）を低減してしまう。
【０００４】
光がそこから外に出られる小さい開口部（つまり、光出力部）を伴う混合ボックス（ｍｉｘ  ｂｏｘ）によって半導体光源から増加された輝度（ｌｕｍｉｎａｎｃｅ）を獲得することが知られている。図１Ａと図１Ｂは、このコンセプトを採用している既知のＬＥＤベース光源１０を図示している。ここで、ＬＥＤ１２（ダイサブストレート１４の上）によって生成された光は、小さい開口部１８を介して外に出るまで、高い反射性を有する混合ボックス１６の中でリサイクル／再反射される。「小さい」開口部１８によって、ＬＥＤ１２よりも小さいことが単純に意味される。開口面積ＡＡ（つまり、幅ＷＡ×ＬＡ）が、ＬＥＤ１２のＬＥＤ面積ＡＬＥＤ（つまり、幅ＷＬＥＤ×ＬＬＥＤ）より小さくなるようにである。
【０００５】
発光セラミック材料または他のリン光性材料から開口部１８が形成されることが知られている。
【発明の概要】
【０００６】
本発明は、請求項によって定められる。
【０００７】
本発明の一つの態様に従って、第１ＬＥＤ光源および第２ＬＥＤ光源と含む光源が提供される。第１ＬＥＤ光源および第２ＬＥＤ光源のそれぞれは、光を生成するように適合された半導体ダイオード構造体と、光出力方向において半導体ダイオード構造体から光を出力するように適合された半導体ダイオード構造体の上の光出力部を含み、光出力部の面積は半導体ダイオード構造体の面積よりも小さい。そして、第２ＬＥＤ光源は、光出力方向に関して光出力部が一列に並ばないように、第１ＬＥＤ光源の上で、かつ、第１ＬＥＤ光源と少なくとも部分的にオーバーラップしているように配置されている。
【０００８】
実施例は、ＬＥＤ光源を垂直方向に積み重ねること、および、光出力部を垂直方向に整列させない一方でＬＥＤ光源をお互いにオーバーラップするように配置することによって、省スペースを達成し得る。従って、光源の光生成部分よりも小さい面積の光出力部を有する高輝度ＬＥＤ光源を使用するためのコンセプトが提案される。そうした光源が別のそうした光源の領域（例えば、非光出力部）とオーバーラップするように配置することによって、オーバーラップされた面積（光を出力しないもの）が、２つの光源のフットプリントのサイズの節約／削減を提供するために使用され得る。
【０００９】
別の言葉で言えば、実施例は、垂直方向に積み重ねられ、かつ、部分的にオーバーラップしているサブ光源を含む高輝度光源を提供し得る。光出力部の位置及び/又は形状は、（上から見たときに）光出力部のエッジが接近して整列され得るように、サブ光源を傾けられるように変更またはデザインされ得る。
【００１０】
複数のＬＥＤ光源は、従って、光出力方向（例えば、垂直軸）に沿って光出力部を一列に並べることなくオーバーラップするように、垂直軸において戦略的に配置され得る。例えば、複数のＬＥＤ光源は、垂直方向に相互にオフセットされ、そして、直接的に上から見たときに（つまり、平面図）ＬＥＤ光源が少なくとも部分的にオーバーラップし、かつ、各光出力部が（横方向に）少なくとも一つの他の光出力部と隣接するように配置され得る。ＬＥＤ光源をオーバーラップするように配置することによって、省スペース（例えば、フットプリントサイズの削減）が達成され得る。
【００１１】
本開示に係るＬＥＤ光源は、あらゆるタイプのＬＥＤであってよい。フリップチップタイプ（Ｔｈｉｎ  Ｆｉｌｍ  Ｆｌｉｐ  Ｃｈｉｐ）、パターン化されたサファイア製サブストレート、上接続／上発光（ｔｏｐ  ｃｏｎｎｅｃｔｅｄ／ｔｏｐ  ｅｍｉｓｓｉｏｎ）、上下接続（ｔｏｐ−ｂｏｔｔｏｍ  ｃｏｎｎｅｃｔｅｄ）、といったものである。また、光源は、裸のダイ（ｄｉｅ）、またはパッケージされたものであってよい。
【００１２】
ＬＥＤ光源の光出力部（または発光領域）は、ＬＥＤからの光が、そこに向かって又はそこを通って出力（または発光）される領域を参照している。ＬＥＤ光源のキャビティ（ａ  ｃａｖｉｔｙ  ｏｒ  ｃａｖｉｔｉｅｓ）は、従って、光出力部に向かって延びてよい。光出力部は、例えば、サファイアといった、成長サブストレートの領域であってよい。また、光出力方向は、それに沿って光出力領域から光が出力される一つの方向に（例えば、図面において垂直に）なるよう総合される。しかしながら、光出力部からの光出力の必ずしも全てが厳密に出力方向に沿って出力されるものではないことが理解されよう。従って、光出力方向は、それに沿って光出力部から光が出力される一般的な方向を参照するものと理解されるべきである。例えば、光出力部の表面から遠くに延びているものである。
【００１３】
ＬＥＤ光源の光出力部は、オーバーラップしないように配置されてよい。さらに、光出力部は、光出力部の隣接したエッジ間で実質的に分離がゼロである（ｚｅｒｏ  ｓｅｐａｒａｔｉｏｎ）ように配置されてよい。実際には、しかしながら、横方向の分離またはオーバーラップがゼロになるように隣接するエッジを完璧に整列させることは難しいだろう。従って、実施例において、光出力部は、無視できる又は少しの量だけ、僅かにオーバーラップ、または、横方向に分離されてよい。例えば、２つのＬＥＤ光源の光出力部の隣接するエッジ間に横方向の分離またはオーバーラップが存在してよく、そして、この横方向の分離またはオーバーラップは、光出力部の横方向の幅の１０％より小さくてよい。実施例においては、そうした横方向の分離またはオーバーラップを最小値まで（例えば、光出力部の横方向の幅の５％より小さく、そして、さらに望ましくは、光出力部の横方向の幅の１％より小さく）低減することが望ましいであろう。
【００１４】
一つの実施例において、ＬＥＤ光源は、さらに、半導体ダイオード構造体の側面を少なくとも部分的に取り囲んでおり、かつ、半導体ダイオード構造体からの光を光出力部に向かって反射するように適合されている光反射構造体を含んでよい。さらに、光反射構造体を有するＬＥＤ光源の光出力部は、光反射構造体の中に形成された開口部を含んでよい。また、光反射構造体の中に形成された開口部を有する光源の半導体ダイオード構造体は、光強化材料を含んでよい。
【００１５】
一つの実施例において、第１ＬＥＤ光源および第２ＬＥＤ光源のうち少なくとも一つの光出力部は、光強化材料を含んでよい。
【００１６】
光強化材料は、発光セラミック材料またはリン光性材料といった、「色変換充填剤（”ｃｏｌｏｒ  ｃｏｎｖｅｒｓｉｏｎ  ｆｉｌｌ”）」であってよい。このことは、さらに、横方向発光領域のエタンデュを維持することに役立ち得る。
【００１７】
一つの実施例において、第１ＬＥＤ光源は、さらに、第１ＬＥＤ光源の光出力部の上面に置かれた複数の上方投射光ファイバーを含んでよい。ＬＥＤ光源を垂直方向に積み重ねることは、第１ＬＥＤ光源が、第２ＬＥＤ光源よりも光排出平面（第２ＬＥＤ光源の上面または上に置かれているもの）からさらに遠くにあることを結果として生じる。第１ＬＥＤ光源の光出力部の上に置かれているぎっしり詰められた光ファイバーのアレイを使用し、かつ、光排出平面に向かって上方に延ばすことで、例えば、第１ＬＥＤ光源からの光は、光ファイバーに沿って送られ、そして、光排出平面に近い光ファイバーから出力され得る。
【００１８】
さらに、一つの実施例が複数のキャビティを含む場合に、キャビティのうちいくつか又は全ては、異なる材料を含んでよい（例えば、それを用いて充填される）。一つの例として、所定のキャビティが、第１タイプのリン光体（例えば、青を白に変換するもの）で満たされ、そして、他のキャビティが、別のタイプのリン光体（例えば、青を赤に変換するもの）で満たされてよい。
【００１９】
実施例は、自動車照明の分野において、および、高輝度照明が望ましい他の分野／アプリケーションにおいて使用され得る。
【００２０】
従って、本発明の一つの態様に応じて、一つの実施例に従った光源を含む自動車照明が提供され得る。
【００２１】
本発明の別の態様に応じて、一つの実施例に従った光源を含むプロジェクター照明が提供され得る。
【００２２】
本発明のさらに別の態様に従って、第１ＬＥＤ光源および第２ＬＥＤ光源を含む光源を製造する方法が提供される。第１ＬＥＤ光源および第２ＬＥＤ光源のそれぞれは、光を生成するように適合された半導体ダイオード構造体と、光出力方向において半導体ダイオード構造体から光を出力するように適合された半導体ダイオード構造体の上の光出力部とを含み、光出力部の面積は半導体ダイオード構造体の面積よりも小さい。本方法は、第２ＬＥＤ光源を、光出力方向に関して光出力部が一列に並ばないように、第１ＬＥＤ光源の上で、かつ、第１ＬＥＤ光源と少なくとも部分的にオーバーラップするように配置するステップを含む。
【００２３】
配置するステップは、第１ＬＥＤ光源および第２ＬＥＤ光源の光出力部がオーバーラップしないように配置するステップを含んでよい。
【００２４】
配置するステップは、第１ＬＥＤ光源および第２ＬＥＤ光源の光出力部の隣接するエッジ間に横方向の分離が存在するように、第１ＬＥＤ光源および第２ＬＥＤ光源を配置するステップを含んでよく、横方向の分離は、光出力部の横方向の幅の１０％より小さい。
【図面の簡単な説明】
【００２５】
添付の図面を参照して、これから本発明の実施例が詳細に説明される。
【図１Ａ】図１Ａは、既知のＬＥＤ光源の断面図である。
【図１Ｂ】図１Ｂは、既知のＬＥＤ光源の断面図である。
【図２】図２は、傾けられ、オーバーラップしない構成に配置された４つのＬＥＤ光源の平面図である。
【図３Ａ】図３Ａは、一つの実施例に従って、４つのＬＥＤ光源の構成を示している。
【図３Ｂ】図３Ｂは、図３Ａに示された構成の平面図である。
【図４】図４は、図３Ａと図３Ｂに係る構成と同一のフットプリントを有する一つのＬＥＤ光源の平面図である。
【図５】図５は、各ＬＥＤ光源の光出力に対する相対的な貢献を説明している一つの実施例に係る３次元モデルである。
【図６】図６は、図５に係る実施例に対する変更を示しており、光出力に対する各ＬＥＤ光源の相対的な貢献を説明している。
【発明を実施するための形態】
【００２６】
本発明は、複数のＬＥＤ光源を有する光源、および、その製造方法を提供する。実施例は、比較的に小さい及び／又は効率的な光源からの高い若しくは増加された輝度の光を要求するアプリケーションについて特に関連し得るものである。
【００２７】
実施例は、ＬＥＤ光源（ＬＥＤサイズと比較して削減されたサイズの光出力部を有しているもの）を垂直に積み重ねる（ｓｔａｃｋｉｎｇ）コンセプトを採用している。それらはお互いにオーバーラップしているが、一方で、それらの光出力部が（垂直に）整列されること、または、完全にオーバーラップすることはない。このようにして、光を出力しないＬＥＤ光源の部分をオーバーラップさせることによって、省スペースが達成され得る。
【００２８】
用語、垂直（ｖｅｒｔｉｃａｌ）は、ここにおいて使用されるように、サブストレートの表面に対して実質的に直交していることを意味するものである。用語、横方向（ｌａｔｅｒａｌ）は、ここにおいて使用されるように、サブストレートの表面に対して実質的に平行であることを意味する。位置決め又は場所を記述する用語（上、下、トップ、ボトム、等といったもの）も、また、ダイヤグラムの中に図示された構造体の向きと併せて解釈されるべきである。
【００２９】
ダイヤグラムは、まったくの模式的なものであり、かつ、そのため、特徴の寸法は縮尺どおりに描かれているものではないことが理解されるべきである。従って、あらゆるレイヤの図示された厚さは、制限的なものであると捉えられるべきではない。例えば、第２レイヤより厚く描かれた第１レイヤは、実際には、第２レイヤよりも薄いものである。
【００３０】
図２は、傾けられ、オーバーラップしない構成に配置された４つのＬＥＤ光源（それぞれが図１Ａと図１Ｂに示されたものと類似している）の平面図である。ＬＥＤベース光源は、ＬＥＤ１２よりも小さい面積の開口部１８（または光出力部１８）を有する混合ボックスの中にＬＥＤ（見えない）を含むことにおいて、図１Ａと図１Ｂに示されたものと類似している。上記の背景技術において既に詳しく述べたように、そうしたＬＥＤベース光源は、増加された輝度を示し、そして、「高輝度ＬＥＤ光源」として参照されてよい。
【００３１】
図２に示されるように、各ＬＥＤ光源は、（図１Ａと図１ＢのようにＬＥＤ光源の中央ではなく）光出力部がＬＥＤ光源のコーナー（ｃｏｒｎｅｒ）に置かれていることにおいて、図１Ａと図１Ｂに示されたものと異なっている。光出力部の一つのコーナーと２つのエッジ（ｅｄｇｅ）が、ＬＥＤベース光源の一つのコーナーと２つのエッジに対応しているようにである。ここで、それぞれのＬＥＤ光源の光出力部は、傾けられ、オーバーラップしない構成に配置されたときに、光出力部１８がお互いに隣接するように、異なるコーナーに置かれている。
【００３２】
各ＬＥＤ光源の幅と長さが１単位（１）であるとすれば、示された構成の全体面積は４単位（４）であること（（１＋１）×（１＋１））が容易に理解されよう。
【００３３】
また、各ＬＥＤ光源が、それぞれの光出力部から１００ルーメン（ｌｕｍｅｎ）を発しているとすれば、本構成から発せられる光は４００ルーメン（４×１００ルーメン）であることも容易に理解されよう。
【００３４】
図３にこれから移ると、一つの実施例に従って、４つのＬＥＤ光源の構成が示されている。より特定的に、図３Ａは、本構成のアイソメ図（ｉｓｏｍｅｔｒｉｃ  ｖｉｅｗ）であり、そして、図３Ｂは、本構成の平面図である。
【００３５】
第１から第４ＬＥＤ光源それぞれは、ＬＥＤ（見えない）、および、（垂直な）光出力方向にＬＥＤから光を出力するように適合された半導体ダイオード構造体の上の光出力部１８を含んでいる。ここで、各光出力部１８は、ＬＥＤを取り囲む光反射構造体１６におけるホール（ｈｏｌｅ）または開口部から形成されている。各ホールは、ルミラミック（ｌｕｍｉｒａｍｉｃ）材料またはリン光性材料といった、光強化材料（ｏｐｔｉｃａｌ  ｅｎｈａｎｃｅｍｅｎｔ  ｍａｔｅｒｉａｌ）で満たされている。光反射構造体１６は、ＬＥＤからの光を光出力部に向かって反射するように適合されている。また、各ＬＥＤ光源について、光出力部１８は、上に置かれているＬＥＤより小さい面積である。
【００３６】
第１から第４ＬＥＤ光源は、光出力部１８がオーバーラップすることなく、それらが部分的にオーバーラップするように垂直に積み重ねられている。
【００３７】
より特定的に、第１ＬＥＤ光源は、ボトム（または最下位置）として配置される。第２ＬＥＤ光源が、そして、第１ＬＥＤ光源の光反射構造体１６１の部分とオーバーラップするが、第１ＬＥＤ光源の光出力部１８１とはオーバーラップしないように、第１光源の上に配置される。次に、第３ＬＥＤ光源が、そして、第１および第２ＬＥＤ光源の光反射構造体１６１と１６２の部分とオーバーラップするが、第１および第２ＬＥＤ光源の光出力部１８１と１８２とはオーバーラップしないように、第２光源の上に配置される。最後に、第４ＬＥＤ光源が、そして、第１、第２および第３ＬＥＤ光源の光反射構造体１６１、１６２および１６３の部分とオーバーラップするが、第１、第２および第３ＬＥＤ光源の光出力部１８１、１８２および１８３とはオーバーラップしないように、第３光源の上に配置される。
【００３８】
従って、上から見たときに、４つのＬＥＤ光源の光出力部は、それらが（垂直な）光出力方向に沿って一列に並ばないように、横方向に隣接し、かつ、オーバーラップしていない。別の言葉で言えば、光出力部から垂直に発せられる光は、上に置かれた別のＬＥＤ光源によって遮られることはない。
【００３９】
ここで、光出力部の隣接するエッジ間は実質的に分離されていない（ｚｅｒｏ  ｓｅｐａｒａｔｉｏｎ）。図３Ｂは、光出力部を容易に特定するために隣接するエッジ間に小さな分離を描いているだけであり、かつ、図３Ｂは、そのようにガイダンスとしてだけ捉えられるべきである。実際には、横方向の分離またはオーバーラップがゼロになるように隣接するエッジを完璧に整列させることは難しいことが正しく理解される。従って、いくつかの実施例において、光出力部は、無視できる又は少しの量だけ、僅かにオーバーラップ、または、横方向に分離されてよい。
【００４０】
各ＬＥＤ光源の幅と長さは、図２におけるものと同一であり、つまり、１単位（１）である。図３の構造の幅と長さは、従って、１．５単位である。このように、示された構成の全体面積は、２．２５単位（１．５×１．５）であることが容易に理解されよう。
【００４１】
また、光出力部は、全て同じサイズであり、図２におけるものと同一のサイズである。これに応じて、図２のものと同様に、各ＬＥＤ光源は、その光出力部から１００ルーメンを発する。従って、本構成から発せられる全体の光は４００ルーメン（４×１００ルーメン）であることが容易に理解されよう。
【００４２】
図２と図３の構成を比較すると、図３の構成は、図２よりも小さい全体面積を有するが、同一量のルーメンを発することがわかる。従って、図３の実施例は、図２の構成と比較してスペース／エリアの節約を達成し、一方で、同一量の光を発している。
【００４３】
図４にこれから移ると、図３Ａと図３Ｂに係る構成と同一のフットプリント、つまり２．２５単位、を有する一つのＬＥＤ光源の平面図が示されている。光出力部１８も、また、図３Ａと図３Ｂにおける光出力部１８１−１８４の組み合わされた全体面積と同一の面積、つまり１単位、を有している。とはいえ、図３の実施例と同じ全体／全般の寸法を有しているにもかかわらず、図４に係る一つのＬＥＤ光源は２２５ルーメンしか出力しないことがシミュレーションで示された。従って、図３の実施例は、同等な面積の一つのＬＥＤ光源より２．２５倍明るいものである。
【００４４】
図５にこれから移ると、全体の光出力に対する各ＬＥＤ光源５０の相対的な貢献を説明している一つの実施例に係る３次元モデルが示されている。図５から、ＬＥＤ光源５０の垂直方向の配置は、最下位置のＬＥＤ光源５０１が光排出平面５５（最上位値の光源５０４の上面または上に置かれているもの）から離れていることを結果として生じることが、正しく理解されよう。従って、図５において光排出平面５５の上のシェーディング（ｓｈａｄｉｎｇ）によって示されるように、最下位置のＬＥＤ光源５０１は、他の、より高いＬＥＤ光源５０２、５０３、５０４よりも、全体の光出力に対して著しく貢献が少ない。
【００４５】
このことに対処するために、実施例に対する変更が、図６に示されるようになされてよい。
【００４６】
図６は、図５に係る実施例に対する変更を示しており、ここで、最下位置のＬＥＤ光源５０１は、さらに、最下位置のＬＥＤ光源５０１の上面から光排出平面５５まで延びている複数の上方投射（ｕｐｗａｒｄｌｙ  ｐｒｏｊｅｃｔｉｎｇ）光ファイバー６０を含んでいる。光ファイバー６０を使用することによって、最下位置のＬＥＤ光源５０１からの光は、光ファイバー６０に沿って送られ、そして、光排出平面５５の近くで（または、そこで）光ファイバーから出力され得る。従って、図６において光排出平面５５の上のシェーディングによって示されるように、全体の光出力に対する最下位置のＬＥＤ光源５０１の貢献が、図５の構成と比較して増加され得る。
【００４７】
図面、明細書、および添付の特許請求の範囲を研究すれば、クレームされた本発明の実施において、当業者によって、開示された実施例に対する他の変形が理解され、もたらされ得る。請求項において、用語「含む（“ｃｏｍｐｒｉｓｉｎｇ“」は、他のエレメントまたはステップの存在を排除するものではなく、不定冠詞「一つの（”ａ“または”ａｎ“）」は、複数を排除するものではない。特定の手段が、お互いに異なる従属請求項の中で引用されているという事実だけでは、これらの手段の組合せが有利に使用され得ないことを示すものではない。請求項におけるいかなる参照番号も、発明の範囲を限定するものと解釈されるべきではない。
【図１Ａ】
0006793111.tif 000002
【図１Ｂ】
0006793111.tif 000003
【図２】
0006793111.tif 000004
【図３Ａ】
0006793111.tif 000005
【図３Ｂ】
0006793111.tif 000006
【図４】
0006793111.tif 000007
【図５】
0006793111.tif 000008
【図６】
0006793111.tif 000009